(57)【要約】【課題】  クリアファイルに貼着した場合であっても、貼着部分が嵩張ることなく、さらには、クリアファイルへの付け外しを容易に行うことができる見出しの提供を目的とする。【解決手段】  本発明の見出しは、クリアファイルの縁に貼着される貼着部１と、貼着部１から横方向に連続して設けられる延出部２とがプラスチックフィルムで一連一体に形成され、貼着部１及び延出部２の裏面が粘着面とされる見出し本体３と、見出し本体３の粘着面に貼付される剥離紙４とを備える。そして、延出部２の横方向中央付近に縦方向に沿って折曲線２ａが設けられ、延出部２が、折曲線２ａに沿って裏側に二つ折りにされて、見出し部とされる。【選択図】      図１
2006110862.tif 000002
【特許請求の範囲】
【請求項１】
クリアファイルの縁に貼着される貼着部と、この貼着部から横方向に連続して設けられる延出部とがプラスチックフィルムで一連一体に形成され、前記貼着部及び前記延出部の裏面が粘着面とされる見出し本体と、
前記見出し本体の粘着面に貼付される剥離紙と
を備え、
前記延出部の横方向中央付近に縦方向に沿って折曲線が設けられ、前記延出部が、この折曲線に沿って裏側に二つ折りにされて、見出し部とされることを特徴とする見出し。
【請求項２】
前記延出部が、前記折曲線に沿って裏側に二つ折りにされて、見出し紙を挟持する挟持部とされるとともに、前記延出部に、見出し紙に記載された表示を透視し得る透明部が設けられることを特徴とする請求項１に記載の見出し。
【発明の詳細な説明】
【技術分野】
【０００１】
本発明は、クリアファイルに貼着して使用する見出しに関する。
【背景技術】
【０００２】
ファイル等の分類や検索を容易にするために、ファイルの側端部に突出して貼着される見出しが用いられているが、従来のものでは、汚れたり傷んだりしやすく、パーソナルコンピュータ等で作成した文字もそのまま使用することができないという問題があった。
【０００３】
そこで、中心線が形成されその中心線に沿って二つ折りにして使用する透明フィルムと、見出し紙との組み合わせからなる見出しが提案されている（特許文献１参照）。
【特許文献１】実用新案登録第３０３６０８４号公報
【０００４】
しかしながら、上記で提案されている見出しは、透明フィルムの両端部が被着体への貼着部とされているので、被着体がクリアファイルのような薄いものの場合は、貼着部分だけが嵩張ってしまうという問題があった。また、クリアファイルから見出しを取り外したり、再度取り付けたりするのが困難であった。
【発明の開示】
【発明が解決しようとする課題】
【０００５】
本発明は、かかる事情に鑑みてなされたものであり、クリアファイルに貼着した場合であっても、貼着部分が嵩張ることなく、さらには、クリアファイルへの付け外しを容易に行うことができる見出しの提供を目的とする。
【課題を解決するための手段】
【０００６】
上記課題を解決するため、請求項１に記載の見出しは、クリアファイルの縁に貼着される貼着部と、この貼着部から横方向に連続して設けられる延出部とがプラスチックフィルムで一連一体に形成され、前記貼着部及び前記延出部の裏面が粘着面とされる見出し本体と、前記見出し本体の粘着面に貼付される剥離紙とを備え、前記延出部の横方向中央付近に縦方向に沿って折曲線が設けられ、前記延出部が、この折曲線に沿って裏側に二つ折りにされて、見出し部とされることを特徴とする。
【０００７】
請求項２に記載の見出しは、請求項１に記載の構成に加えて、前記延出部が、前記折曲線に沿って裏側に二つ折りにされて、見出し紙を挟持する挟持部とされるとともに、前記延出部に、見出し紙に記載された表示を透視し得る透明部が設けられることを特徴とする。
【発明の効果】
【０００８】
本発明の見出しによれば、クリアファイルに貼着しても、クリアファイルとの貼着部分が一箇所とされているので、貼着部分が嵩張ることなく、その上、クリアファイルへの付け外しを容易に行うことができる。
【発明を実施するための最良の形態】
【０００９】
以下、本発明の見出しについて、図面を参照しつつ説明するが、本発明は以下に記載されたもののみに限定されるものではない。
【００１０】
図１は、本発明の一実施例を示す見出しＡの正面図であり、図２は、見出しＡのクリアファイルへの取り付け方法を示す外観斜視図であり、図３は、見出しＡがクリアファイルに取り付けられた状態を示す外観斜視図である。
【００１１】
図１に示すように、見出しＡは、見出し本体３と剥離紙４とを備えている。見出し本体３は、貼着部１と延出部２とがプラスチックフィルムで一連一体に形成されたものであり、貼着部１及び延出部２の裏面は粘着面とされ、この粘着面に剥離紙４が貼付されている。
【００１２】
図２及び図３に示すように、略矩形状に形成された貼着部１は、延出部２がクリアファイルＢから外方に突出するように、クリアファイルＢの縁に貼着される部分である。貼着部１は、本実施例では略矩形状とされているが、その形状、大きさ等は、特に限定されるものではない。
【００１３】
延出部２は、貼着部１の右端から横方向に延出して設けられている。そして、延出部２の横方向中央付近には、縦方向に沿ってミシン目の折曲線２ａが設けられ、この折曲線２ａにより、延出部２が２つの領域（外方部２ｂと内方部２ｃ）に区分けされている。このように、延出部２に折曲線２ａを設けることで、延出部２を容易に二つ折りすることが可能である。折曲線２ａは、本実施例のように、折り曲げ操作を容易にする観点から、延出部２の上辺から下辺に渡って設けられるのが好ましい。なお、本実施例では、折曲線２ａは、ミシン目とされているが、延出部２を裏側に折り曲げることができる構成であれば、その形態は、特に限定されるものではない。
【００１４】
図２及び図３に示すように、延出部２は、折曲線２ａに沿って裏側に二つ折りにされて、見出し部とされている。また、本実施例では、延出部２は、見出し紙５を介して、外方部２ｂの粘着面と内方部２ｃの粘着面を貼り合わせて、見出し紙５を挟持する挟持部とされている。なお、延出部２に見出し紙を挟持させずに、延出部２を折曲線２ａに沿って裏側に二つ折りにして、延出部２の表面に、直接文字等を記載して使用することも可能である。
【００１５】
延出部２の形状は、折曲線２ａを中心として、外方部２ｂと内方部２ｃが左右対称となるように形成されている。このような形状にすることで、延出部２を折り曲げて、外方部２ｂの粘着面と内方部２ｃの粘着面を貼り合わせても、延出部２の粘着面が露出することがなく、ゴミ等が付着することがない。
【００１６】
本実施例では、外方部２ｂの中央部に透明部２ｄが設けられている。このように延出部２の少なくとも一部に透明部２ｄを設けることで、延出部２に見出し紙を挟持させた際に、見出し紙に記載された表示をはっきりと透視することができる。また、本実施例のように、外方部２ｂだけでなく、内方部２ｃにも透明部を設けてもよい。このように外方部２ｂ及び内方部２ｃに透明部を設けることで、両面から見出し紙に記載された表示をはっきりと透視することができる。
【００１７】
また、本実施例では、折曲線２ａの両端部に切欠き２ｅ，２ｅが設けられている。このような構成にすることにより、折曲線２ａの位置が明確となるとともに、延出部２を折り曲げた際に、角に丸みが形成されて、クリアファイルに収納する書類等を傷つけることがない。
【００１８】
見出し本体３は、ポリエチレンテレフタレート（ＰＥＴ）からなり、厚さ７５μｍのプラスチックフィルムで形成されている。このように、プラスチックフィルムで形成することにより、見出し本体３は、汚れたり傷んだりし難く、複数回の付け外し操作に対する耐久性にも優れる。プラスチックフィルムの材質としては、本実施例で用いたＰＥＴ等のポリエステル、ポリプロピレン等のポリオレフィン等を用いることができる。また、見出し本体３を形成するプラスチックフィルムの厚さは、１０〜３００μｍであることが好ましく、より好ましくは４０〜１００μｍである。
【００１９】
本実施例では、透明部２ｄを除いた見出し本体３全体に、色枠を印刷することにより、延出部２に透明部２ｄを形成している。この色枠の色は、青、黄、赤等の各色から、適宜選択することができる。なお、見出し本体３に色枠を印刷せずに、見出し本体３（延出部２）全体を透明としてもよい。また、見出し本体３の貼着部１には、社名、宣伝広告等を印刷してもよい。このような見出し本体３への印刷は、見出し本体３の表面にしてもよいし、裏面にしてもよい。
【００２０】
上述したように、見出し本体３の裏面は、粘着面とされる。この粘着面の形成方法としては、見出し本体３を形成するプラスチックフィルムの裏面に、粘着剤を塗布する方法等が挙げられる。
【００２１】
上記粘着剤としては、クリアファイルからの付け外しを良好に行う観点から、再剥離可能なものが好ましく用いられ、例えば、ウレタン系粘着剤、アクリル系粘着剤、ゴム系粘着剤等が挙げられ、これらを単独で又は２種以上を混合して用いることができる。これらの中でも、ウレタン系粘着剤であって、見出し紙との剥離性を有し、さらには、粘着面に付着したゴミ等を水で洗い流す場合においても、粘着性が損なわれないものが、特に好ましく用いられる。
【００２２】
次に、見出しＡの使用方法について説明する。まず、見出し本体３に貼付された剥離紙４を剥がして、クリアファイルＢの縁に、延出部２がクリアファイルＢから外方に突出するように、貼着部１を貼着する。次いで、図２に示すように、見出し紙５が折曲線２ａを跨がないように、見出し紙５を延出部２の粘着面上に載置する。そして、延出部２を折曲線２ａに沿って裏側に二つ折りにして、外方部２ｂの粘着面と内方部２ｃの粘着面を、見出し紙５を介して貼り合わせる。このように、見出しＡは、クリアファイルとの貼着部分が一箇所とされているので、貼着部分が嵩張ってしまうことがない上に、クリアファイルへの付け外しを容易に行うことができる。なお、見出し紙５を延出部２に挟持させた後に、見出しＡをクリアファイルＢに貼着させてもよい。
【００２３】
ここで、見出し紙５は、外方部２ｂ、内方部２ｃの大きさよりも小さいものであることが好ましい。このような構成にすることにより、見出し紙５を外方部２ｂと内方部２ｃとでしっかり挟持できて、延出部２から抜け落ちるのを防止することができる。
【図面の簡単な説明】
【００２４】
【図１】本発明の一実施例を示す見出しの正面図である。
【図２】図１に示す見出しのクリアファイルへの取り付け方法を示す外観斜視図である。
【図３】図１に示す見出しが、クリアファイルに取り付けられた状態を示す外観斜視図である。
【符号の説明】
【００２５】
１  貼着部
２  延出部
３  見出し本体
４  剥離紙
５  見出し紙
２ａ  折曲線
２ｂ  外方部
２ｃ  内方部
２ｄ  透明部
２ｅ  切欠き
Ａ  見出し
Ｂ  クリアファイル
【図１】
2006110862.tif 000003
【図２】
2006110862.tif 000004
【図３】
2006110862.tif 000005